(57)【特許請求の範囲】
【請求項１】
長さ方向が横または縦に向く支持アームの中央には貫通孔が形成され、この支持アームの両側に長孔が形成され、前記貫通孔を支柱もしくは支持桟の貫通孔に合致させた状態で両貫通孔に対しボルトを挿通させ、ボルトの先端よりナットを螺合させて締め付けることにより支持アームが支柱もしくは支持桟に取り付けられるようになっており、前記両側の長孔には支持アームの背面側から長孔に挿通される鍔付きボルトと、長孔に挿通された鍔付きボルトの雄ねじ部に螺合する２枚の円盤状のナットと、外側に位置する２枚目のナットに重なるように前記雄ねじ部に嵌められるパッキンと、このパッキンに連続して雄ねじ部に嵌められるパネル保護チューブと、このパネル保護チューブに連続して雄ねじ部に嵌められるパッキンと、雄ねじ部の先端側より適当長さ範囲に亘って形成された雌ねじ孔部と、この雌ねじ孔部に螺入する雄ねじ部を備え前記パッキンを介して２枚目のナットとの間でガラスパネルなどのパネルを挟持する押さえ金具からなるパネル挟持手段が装備されていることを特徴とするパネル支持装置。
【請求項２】
長さ方向が横または縦に向く支持アームの一端には貫通孔が形成され、この支持アームの他端近傍に長孔が形成され、前記貫通孔を支柱もしくは支持桟の貫通孔に合致させた状態で両貫通孔に対しボルトを挿通させ、ボルトの先端よりナットを螺合させて締め付けることにより支持アームが支柱もしくは支持桟に取り付けられるようになっており、前記長孔には支持アームの背面側から長孔に挿通される鍔付きボルトと、長孔に挿通された鍔付きボルトの雄ねじ部に螺合する２枚の円盤状のナットと、外側に位置する２枚目のナットに重なるように前記雄ねじ部に嵌められるパッキンと、このパッキンに連続して雄ねじ部に嵌められるパネル保護チューブと、このパネル保護チューブに連続して雄ねじ部に嵌められるパッキンと、雄ねじ部の先端側より適当長さ範囲に亘って形成された雌ねじ孔部と、この雌ねじ孔部に螺入する雄ねじ部を備え前記パッキンを介して２枚目のナットとの間でガラスパネルなどのパネルを挟持する押さえ金具からなるパネル挟持手段が装備されていることを特徴とするパネル支持装置。
【請求項３】
長さ方向が横または縦に向く支持アームの一端には他端側に対して直角に折り曲げられ貫通孔が形成された取付片を備え、支持アームの他端近傍に長孔が形成され、前記貫通孔を支柱もしくは支持桟の貫通孔に合致させた状態で両貫通孔に対しボルトを挿通させ、ボルトの先端よりナットを螺合させて締め付けることにより支持アームが支柱もしくは支持桟に取り付けられるようになっており、前記長孔には支持アームの背面側から長孔に挿通される鍔付きボルトと、長孔に挿通された鍔付きボルトの雄ねじ部に螺合する２枚の円盤状のナットと、外側に位置する２枚目のナットに重なるように前記雄ねじ部に嵌められるパッキンと、このパッキンに連続して雄ねじ部に嵌められるパネル保護チューブと、このパネル保護チューブに連続して雄ねじ部に嵌められるパッキンと、雄ねじ部の先端側より適当長さ範囲に亘って形成された雌ねじ孔部と、この雌ねじ孔部に螺入する雄ねじ部を備え前記パッキンを介して２枚目のナットとの間でガラスパネルなどのパネルを挟持する押さえ金具からなるパネル挟持手段が装備されていることを特徴とするパネル支持装置。
【請求項４】
取付片の貫通孔は他端近傍に形成される長孔が横方向に向く場合は上下方向に向く長孔状となっていることを特徴とする請求項３記載のパネル支持装置。
【請求項５】
鍔付きボルトの雄ねじ部には対向する２箇所が面状にフラットに形成されていて、雄ねじ部を支持アームの長孔に差し込んだ状態において雄ねじ部のフラット面が長孔の内面に面で当接し、鍔付きボルトが支持アームに対し回転しないように構成されていることを特徴とする請求項１から請求項４までの何れか１項記載のパネル支持装置。
【発明の詳細な説明】
【技術分野】
【０００１】
本発明は、建物の壁面や仕切りなどを形成するガラスパネルなどのパネルを支持するためのパネル支持装置に関するものである。
【背景技術】
【０００２】
従来のこの種建物の壁面や仕切りなどを形成するガラスパネルなどを支持する装置としては例えば特許文献１に開示されているように、ガラス板の四隅部に設けた穿孔部に介装部材を内接させ穿孔部の端面形状に合わせた締付部材と締付ナットでスペーサーを介してガラス板の両面より締付支持するガラス板の支持構造において、外形がガラス板の穿孔部の端面形状に沿った形状を有した円筒状で、円筒状の内部には小径のくびれ部を有する締付部材と、該締付部材の円筒状内に室外側開口部より内接させた太鼓状の球面部材と、中央部に鍔部を有し両端にボルトを有した支持ボルトの片端を締付部材の室内側開口部よりくびれ部内を挿通させて鍔部をくびれ部に当接させると共に前記球面部材と螺合させ、支持ボルトの他端を構造体に直接、或いは構造体によって支持されたＸ字状、Ｈ字状等の金具の先端の取付孔に両面より取付ナットで支持させるようにし、支持ボルトの片端の球面部材によりガラス板とその支持構造とを相対的に傾動自在としたものが知られている。
【特許文献１】特開２００３−１２９６００号公報
【発明の開示】
【発明が解決しようとする課題】
【０００３】
上記特許文献１に開示されているガラス板の支持装置の構成では、ガラス板とその支持構造とを相対的に傾動自在となっているが、ガラス板の横方向または縦方向および前後方向の位置微調整を行なうことは不可能であった。
【０００４】
本発明の目的は、このような課題を解決するものであり、パネルの横方向あるいは縦方向および前後方向の位置微調整を簡単に行なえるようにしたパネル支持装置を提供することにある。
【課題を解決するための手段】
【０００５】
本発明の請求項１に記載のパネル支持装置は、長さ方向が横または縦に向く支持アームの中央には貫通孔が形成され、この支持アームの両側に長孔が形成され、前記貫通孔を支柱もしくは支持桟の貫通孔に合致させた状態で両貫通孔に対しボルトを挿通させ、ボルトの先端よりナットを螺合させて締め付けることにより支持アームが支柱もしくは支持桟に取り付けられるようになっており、前記両側の長孔には支持アームの背面側から長孔に挿通される鍔付きボルトと、長孔に挿通された鍔付きボルトの雄ねじ部に螺合する２枚の円盤状のナットと、外側に位置する２枚目のナットに重なるように前記雄ねじ部に嵌められるパッキンと、このパッキンに連続して雄ねじ部に嵌められるパネル保護チューブと、このパネル保護チューブに連続して雄ねじ部に嵌められるパッキンと、雄ねじ部の先端側より適当長さ範囲に亘って形成された雌ねじ孔部と、この雌ねじ孔部に螺入する雄ねじ部を備え前記パッキンを介して２枚目のナットとの間でガラスパネルなどのパネルを挟持する押さえ金具からなるパネル挟持手段が装備されていることを特徴とする。
【０００６】
請求項２に記載のパネル支持装置は、長さ方向が横または縦に向く支持アームの一端には貫通孔が形成され、この支持アームの他端近傍に長孔が形成され、前記貫通孔を支柱もしくは支持桟の貫通孔に合致させた状態で両貫通孔に対しボルトを挿通させ、ボルトの先端よりナットを螺合させて締め付けることにより支持アームが支柱もしくは支持桟に取り付けられるようになっており、前記長孔には支持アームの背面側から長孔に挿通される鍔付きボルトと、長孔に挿通された鍔付きボルトの雄ねじ部に螺合する２枚の円盤状のナットと、外側に位置する２枚目のナットに重なるように前記雄ねじ部に嵌められるパッキンと、このパッキンに連続して雄ねじ部に嵌められるパネル保護チューブと、このパネル保護チューブに連続して雄ねじ部に嵌められるパッキンと、雄ねじ部の先端側より適当長さ範囲に亘って形成された雌ねじ孔部と、この雌ねじ孔部に螺入する雄ねじ部を備え前記パッキンを介して２枚目のナットとの間でガラスパネルなどのパネルを挟持する押さえ金具からなるパネル挟持手段が装備されていることを特徴とする。
ことを特徴とする。
【０００７】
請求項３に記載のパネル支持装置は、長さ方向が横または縦に向く支持アームの一端には他端側に対して直角に折り曲げられ貫通孔が形成された取付片を備え、支持アームの他端近傍に長孔が形成され、前記貫通孔を支柱もしくは支持桟の貫通孔に合致させた状態で両貫通孔に対しボルトを挿通させ、ボルトの先端よりナットを螺合させて締め付けることにより支持アームが支柱もしくは支持桟に取り付けられるようになっており、前記長孔には支持アームの背面側から長孔に挿通される鍔付きボルトと、長孔に挿通された鍔付きボルトの雄ねじ部に螺合する２枚の円盤状のナットと、外側に位置する２枚目のナットに重なるように前記雄ねじ部に嵌められるパッキンと、このパッキンに連続して雄ねじ部に嵌められるパネル保護チューブと、このパネル保護チューブに連続して雄ねじ部に嵌められるパッキンと、雄ねじ部の先端側より適当長さ範囲に亘って形成された雌ねじ孔部と、この雌ねじ孔部に螺入する雄ねじ部を備え前記パッキンを介して２枚目のナットとの間でガラスパネルなどのパネルを挟持する押さえ金具からなるパネル挟持手段が装備されていることを特徴とする。
【０００８】
請求項４に記載のパネル支持装置は、取付片の貫通孔は他端近傍に形成される長孔が横方向に向く場合は上下方向に向く長孔状となっていることを特徴とする。
請求項５に記載のパネル支持装置は、鍔付きボルトの雄ねじ部には対向する２箇所が面状にフラットに形成されていて、雄ねじ部を支持アームの長孔に差し込んだ状態において雄ねじ部のフラット面が長孔の内面に面で当接し、鍔付きボルトが支持アームに対し回転しないように構成されていることを特徴とする。
【発明の効果】
【０００９】
以上のように、本発明のパネル支持装置は、支持アームに形成した長孔にパネル挟持手段が装備されることにより隣り合うパネル間の間隔が揃うように微調整でき、また鍔付きボルトの雄ねじ部に螺合して位置調整できる外側に位置する２枚目のナットを備えることにより全てのパネルの面が面一状となるように微調整できる。また、取付片の貫通孔を長孔状とすることにより支持アームに形成した長孔に対して直交する方向、例えば縦方向の微調整ができるものである。また、パネル挟持手段の鍔付きボルトが支持アームに対し回転しないように支持アームに形成した長孔に差し込まれているので、支持アームに対するパネル挟持手段の取り付け、つまり鍔付きボルトの雄ねじ部に対するナットの螺合を片手で行なうことができ、作業性を向上させることができる。
【発明を実施するための最良の形態】
【００１０】
以下、本発明の実施の形態を、図面を用いて具体的に説明する。
先ず、図１〜図８に示す第１の実施の形態について説明すると、１は長さ方向が横に向き上から厚み面が見えるように使用される支持アームで、この支持アーム１の中央から張り出す両側、詳しくは両端近傍に横方向に向く長孔２が左右両側に形成されている。支持アーム１の中央には前後に向く貫通孔３が形成されており、この貫通孔３を床面に立設されたパネル取付用支柱４の前後に向く貫通孔５に合致させた状態で両貫通孔３，５に対しボルト６を挿通させ、ボルト６の先端よりナット７を螺合させて締め付けることにより支持アーム１がパネル取付用支柱４に取り付けられる。前記両側の長孔２には支持アーム１の背面側から長孔２に挿通される鍔付きボルト８と、長孔２に挿通された鍔付きボルト８の雄ねじ部８ａに螺合する２枚の円盤状のナット９，１０と、外側に位置する２枚目のナット１０に重なるように雄ねじ部８ａに嵌められるパッキン１１と、このパッキン１１に連続して雄ねじ部８ａに嵌められるパネル保護チューブ１２と、このパネル保護チューブ１２に連続して雄ねじ部８ａに嵌められるパッキン１３と、雄ねじ部８ａの先端側より適当長さ範囲に亘って形成された雌ねじ孔部８ｂと、この雌ねじ孔部８ｂに螺入する雄ねじ部１４を備え前記パッキン１１，１３を介して前記２枚目のナット１０との間でガラスパネルなどのパネル１５を挟持する押さえ金具１６からなるパネル挟持手段１７が装備されている。なお、支持アーム１の貫通孔３が形成された中央は上から見てパネル取付用支柱４に向って僅かに突出する形状となっている。また、前記パネル取付用支柱４は床面上で横方向に適当間隔おきに立設されており、このパネル取付用支柱４の上下両端近傍に前記貫通孔５を備えて、両端のパネル取付用支柱４を除くパネル取付用支柱４に両側に前記パネル挟持手段１７を備えた支持アーム１がパネル取付用支柱４から両側に張り出した状態で取り付けられ、支持アーム１の両側のパネル挟持手段１７で互いに隣り合う位置でのパネル１５の端部を挟持して支持するように構成されている。ところで、パネル１５の端部における上下両端近傍にはパネル保護チューブ１２を介して鍔付きボルト８の雄ねじ部８ａを挿通させる取り付け孔１５ａが形成されているものである。また、前記鍔付きボルト８の雄ねじ部８ａには対向する２箇所が面状にフラットに形成されていて、雄ねじ部８ａを前記長孔２に差し込んだ状態において雄ねじ部８ａのフラット面が長孔２の内面に面で当接し、鍔付きボルト８が支持アーム１に対し回転しないように構成されている。
【００１１】
以上のように互いに隣り合う位置でのパネル１５の端部は支持アーム１の両側にパネル挟持手段１７を備えたパネル支持装置で支持されるものであるが、端に位置するパネル１５の遊端部は、前記支持アーム１から片側の長孔２形成部分が存在しない支持アーム１８と、この支持アーム１８の前後に向く貫通孔１９が形成された一端近傍と他端との間における他端近傍に形成された横方向に向く長孔２０に装備される前記パネル挟持手段１７と同じパネル挟持手段２１と、パネル取付用支柱４に対する取り付けのための前記ボルト６およびナット７と同じボルト２２およびナット２３とからなるパネル支持装置で端に位置するパネル取付用支柱４に支持されるものである。このパネル支持装置の支持アーム１８の貫通孔１９が形成された一端は上から見てパネル取付用支柱４に向って僅かに突出する形状となっている。従って、パネル挟持手段２１を備えた支持アーム１８は端に位置するパネル取付用支柱４の上下両端近傍にパネル取付用支柱４の内側に張り出すようにボルト２２、ナット２３で取り付けられ、支持アーム１８のパネル挟持手段２１で端に位置するパネル１５の遊端部を挟持して支持するように構成されている。なお図中、パネル挟持手段２１における各部品はパネル挟持手段１７と同符号で示している。
【００１２】
この第１の実施の形態では２つのパネル支持装置で横方向に適当間隔おきに立設されたパネル取付用支柱４間にパネル１５が位置するように横方向に並ぶ複数枚のパネル１５を支持するようになっており、支持アーム１および１８にパネル１５が取り付けられるとき、支持アーム１の長孔２および支持アーム１８の長孔２０に対するパネル挟持手段１７および２１の取り付け位置によりパネル１５の横方向の位置が決定され、またパネル挟持手段１７および２１の外側に位置する２枚目のナット１０の位置によりパネル１５の奥行き方向の位置が決定されるものである。つまり、前記長孔２および長孔２０を備えることにより隣り合うパネル１５，１５間の間隔が揃うように微調整でき、また鍔付きボルト８の雄ねじ部８ａに螺合して位置調整できる外側に位置する２枚目のナット１０を備えることにより全てのパネル１５の面が面一状となるように微調整できるものである。
【００１３】
次に、図９〜図１５に示す第２の実施の形態について説明すると、この第２の実施の形態は床面に横方向に適当間隔おきに並ぶように立設されたパネル取付用支柱２４に上下方向並びに横方向に他数枚のパネル１５を取り付けるようにしたものであって、この実施の形態で使用されるパネル支持装置は上記第１の実施の形態で使用される支持アーム１８を変形した支持アーム１８Ａを用いており、この支持アーム１８Ａの貫通孔１９が形成された一端側を他端側に対して直角に折り曲げるとともに他端近傍の長孔２０が形成された他の部分よりも上下に突出させてパネル取付用支柱２４に対する取付片２５としている。そして、この取付片２５に上下２箇所の貫通孔１９が形成されているのであって、この貫通孔１９は上下に向く長さの短い長孔状となっている。そして、この実施の形態で使用されるパネル支持装置において、前記長孔２０に前記パネル挟持手段１７やパネル挟持手段２１と同じパネル挟持手段２６が装備され、パネル取付用支柱２４に対する取り付けのための前記ボルト６，２２およびナット７，２３と同じボルト２７およびナット２８を備えている。つまり、この実施の形態で使用されるパネル支持装置は支持アーム１８Ａの形状が第１の実施の形態で使用される支持アーム１や支持アーム１８と異なっているのみで、他のパネル挟持手段２６やボルト２７、ナット２８は第１の実施の形態で使用されるものと全く同じである。
【００１４】
そこで、この第２の実施の形態におけるパネル支持装置を用いて横方向に適当間隔おきに並ぶように立設されたパネル取付用支柱２４に上下方向並びに横方向に他数枚のパネル１５を取り付ける場合について説明すると、パネル取付用支柱２４には各パネル取付位置で１枚のパネル１５に対し上下位置２箇所づつの貫通孔２９が横向きに形成されている。そして、中間部に位置するパネル取付用支柱２４に対してはパネル取付用支柱２４を両側から挟むようにパネル支持装置を位置させ、その支持アーム１８Ａの取付片２５を貫通孔１９がパネル取付用支柱２４の貫通孔２９に合致するようにパネル取付用支柱２４の両側に当てがい、共通のボルト２７およびナット２８でパネル取付用支柱２４の両側から固定する。これにより支持アーム１８Ａの長孔２０が形成された部分はパネル取付用支柱２４から両側に張り出した状態となり、パネル挟持手段２６で互いに隣り合う位置でのパネル１５の端部を挟持して支持するものである。端に位置するパネル取付用支柱２４に対しては端に位置するパネル１５の遊端部を支持すべく貫通孔２９の位置でパネル支持装置をパネル取付用支柱２４の内側に張り出すように固定し、パネル挟持手段２６で端に位置するパネル１５の遊端部を挟持して支持するものである。なお、この実施の形態において、横方向に適当間隔おきに並ぶように立設されたパネル取付用支柱２４は横方向に向き各パネル１５の上下両端の辺に沿って位置するように補強材３０で繋がっている。
【００１５】
以上第２の実施の形態について述べたが、この実施の形態では前記第１の実施の形態と同様に隣り合うパネル１５，１５間の間隔が揃うように微調整でき、また全てのパネル１５の面が面一状となるように微調整できることは勿論のこと、パネル支持装置をパネル取付用支柱２４に取り付けるために取付片２５に形成された貫通孔１９は上下に向く長さの短い長孔状となっているので、縦方向の微調整ができるものである。
【００１６】
ところで、以上２つの実施の形態で３種類のパネル支持装置を用いたパネル１５の取り付け例について説明したが、パネル取付用の支柱の代わりに水平方向に向く支持桟を設け、この支持桟にパネル支持装置を取り付けてパネル１５を取り付けるようにしても良い。つまり、２つの実施の形態で示すパネル１５の取り付け状態から向きを９０度変えることも可能である。また、隣り合うパネル１５，１５間の隙間にコーキング材などを介在させるようにしても良い。
【図面の簡単な説明】
【００１７】
【図１】本発明の第１の実施の形態において使用されるパネル支持装置の分解斜視図である。
【図２】同第１の実施の形態において使用される別のパネル支持装置の分解斜視図である。
【図３】同２種類のパネル支持装置を用いたパネルの取り付け例を正面側から見た斜視図である。
【図４】同２種類のパネル支持装置を用いたパネルの取り付け例を背面側から見た斜視図である。
【図５】図４のＡ部における拡大斜視図である。
【図６】図４のＡ部における拡大平面図である。
【図７】図４のＢ部における拡大斜視図である。
【図８】図４のＢ部における拡大平面図である。
【図９】本発明の第２の実施の形態において使用されるパネル支持装置の分解斜視図である。
【図１０】同パネル支持装置を用いたパネルの取り付け例を正面側から見た斜視図である。
【図１１】同パネル支持装置を用いたパネルの取り付け例を背面側から見た斜視図である。
【図１２】図１１のＣ部における拡大斜視図である。
【図１３】図１１のＣ部における拡大平面図である。
【図１４】図１１のＤ部における拡大斜視図である。
【図１５】図１１のＤ部における拡大平面図である。
【符号の説明】
【００１８】
１          支持アーム
２          長孔
３          貫通孔
４          パネル取付用支柱
５          貫通孔
６          ボルト
７          ナット
８          鍔付きボルト
８ａ        雄ねじ部
８ｂ        雌ねじ孔部
９，１０    ナット
１１          パッキン
１２          パネル保護チューブ
１３          パッキン
１４          雄ねじ部
１５          パネル
１６          押さえ金具
１７          パネル挟持手段
１８          支持アーム
１８Ａ        支持アーム
１９          貫通孔
２０          長孔
２１          パネル挟持手段
２２          ボルト
２３          ナット
２４          パネル取付用支柱
２５          取付片
２６          パネル挟持手段
２７          ボルト
２８          ナット
２９          貫通孔
３０          補強材
【図１】
0005094367.tif 000002
【図２】
0005094367.tif 000003
【図３】
0005094367.tif 000004
【図４】
0005094367.tif 000005
【図５】
0005094367.tif 000006
【図６】
0005094367.tif 000007
【図７】
0005094367.tif 000008
【図８】
0005094367.tif 000009
【図９】
0005094367.tif 000010
【図１０】
0005094367.tif 000011
【図１１】
0005094367.tif 000012
【図１２】
0005094367.tif 000013
【図１３】
0005094367.tif 000014
【図１４】
0005094367.tif 000015
【図１５】
0005094367.tif 000016